(57)【要約】【課題】開閉しやすく、密閉性に優れ、なおかつ蓋部材の開閉があっても容器本体内の内圧の上昇を抑制すること。【解決手段】歯科材料用シリンジは、容器本体４の先端開口部の外周面には、螺旋方向へリード角を有する複数の雄側螺状突部１６を形成し、蓋部材３には、容器本体４の雄側螺状突部１６に対して係合するリード角を螺旋方向に有する複数の雌側螺状突部１７を形成し、雄側螺状突部１６と雌側螺状突部１７との少なくとも一方にリード角をずらした螺状突部を含ませて形成した。【選択図】図２
2010011907.tif 000002
【特許請求の範囲】
【請求項１】
粘性材料を収容し押出しするためのシリンダ状の容器本体と該容器本体の先端開口部を閉塞する蓋部材とを備え、前記容器本体と蓋部材との少なくとも一方が弾性部材で形成されている歯科材料用シリンジにおいて、
前記容器本体の先端開口部の外周面には、螺旋方向へリード角を有する複数の雄側螺状突部を前記外周面の周方向へ間隔を空けて形成し、
前記蓋部材の周壁部には、前記雄側螺状突部に対して係合し、螺旋方向へリード角を有する複数の雌側螺状突部を前記周壁部の周方向へ間隔を空けて形成し、
前記雄側螺状突部と前記雌側螺状突部との少なくとも一方にリード角をずらした螺状突部を含ませて形成し、
前記蓋部材による前記先端開口部の閉塞時に、前記雄側螺状突部間に前記雌側螺状突部を気密状態に螺着させるとともに前記雌側螺状突部間に前記雄側螺状突部を気密状態に螺着させ、
前記蓋部材の口径が５．０〜１０．０ｍｍであって、蓋部材の天面壁内面から前記雌側螺状突部の下端までの長さと前記口径の比が０．２〜１．０としたことを特徴とする歯科材料用シリンジ。
【請求項２】
前記容器本体の先端開口部と前記蓋部材の天面壁内面との間にパッキンを設けるようにした請求項１に記載の歯科材料用シリンジ。
【請求項３】
前記容器本体の前記先端開口部を縮径した縮径部を形成し、該縮径部に前記蓋部材を装着させるようにしたことを特徴とする請求項１又は２に記載の歯科材料用シリンジ。
【発明の詳細な説明】
【技術分野】
【０００１】
本発明は、粘性材料を収容し押出しするためのシリンダ状の容器と該容器の先端開口部を閉塞する蓋部材とを備えた歯科材料用シリンジに関する。
【背景技術】
【０００２】
歯科材料を収容するための容器として、様々な種類がある。
図８のＡ及びＢは、従来の歯科材料を収容するシリンジを示す。
シリンジ５１は、容器５２と蓋部材５３とからなり、容器５２は、容器本体５４、押出ネジ５５、ナット５６及び押出部材５７とから構成されている。容器本体５４の基端側（図面左側）には、ナット５６が取付けられ、ナット５６には、押出ネジ５５が螺着し押出ネジ５５の先端側には、押出部材５７が取付けられている。容器本体５４の内部には、歯科材料が収容されている。容器本体５４の先端側には開口５９が設けられ、開口５９部には、蓋部材５３が着脱可能に設けられている。蓋部材５３の内周面と容器本体５４の先端外周面はほぼ同径であって、蓋部材５３は容器本体５４の外周面を摺動するようにして開閉がなされる。
【０００３】
歯科材料が収容されたこのようなシリンジ５１は、歯科医師や歯科技工士によって用いられ、使用するときは、蓋部材５３を容器本体５４から取り外し、材料の取出し具によって、歯科材料が取り出される。頻繁に使用されることによって、開口５９部近傍に歯科材料がある程度減少すると、押出ネジ５５を回転させて、先端側へ押出部材５７を前進させて、歯科材料を容器本体５４の先端側へ押出して、その取出しを容易にしている。
下記の特許文献１には、容器内の歯科材料を押出棒（ネジ部材）によって押出して用いるシリンジが開示されている。
特許文献２には、蓋部材に、所定のリード角を螺旋方向に有する複数の雌側螺状突部を形成し、容器の先端開口部の外周面には、雌側螺状突部と係合し、該雌側螺状突部とは異なるリード角を螺旋方向に有する複数の雄側螺状突部を形成したものが開示されている。
非特許文献１には、歯科材料を収容するシリンジと、蓋部材を外したシリンジ開口部よりペースト状の歯科材料を取り出し具によって取り出している様子が開示されている。
【特許文献１】特開２０００−３２５３６２号公報
【特許文献２】特開２００４−１２５０６９号公報
【非特許文献１】高橋英登・松井信人編  「ハイブリッドセラミックス  メタルフリー修復の臨床と歯科技工」  医歯薬出版株式会社  ２００６年  １５５頁
【発明の開示】
【発明が解決しようとする課題】
【０００４】
歯科材料は、外部からの異物混入の抑制や、漏れを防ぐため、密閉性を必要とする。また、歯科材料は、光などによって変性するものが多く、通常は、歯科材料が取り出されたあとは、その都度蓋部材５３によって開口５９が閉塞され、１日に何度も蓋部材５３の開閉が行われるので、その作業性の良さが求められる。
しかしながら、上述したように、歯科用の容器は密閉性を必要とし、一般に密閉性と開閉性は必ずしも両立しない。例えば、密閉性を良くするため、蓋部材５３と容器の開口５９部との接続部分を長くする方法がとられる。すると、蓋部材５３の内周面と容器本体５４の先端外周面はほぼ同径であるので、図８のＡに示すように開放状態にあった開口５９が、図８のＢに示すように、蓋部材５３のほぼ容積分に相当する空気が容器本体５４内に入り込むことになる。これによって、容器本体５４内の空間部分の内圧が上昇し、内部に収容されている歯科材料に悪影響を及ぼすことがある。歯科材料が粘性のある材料であるような場合は、粘性材料が内圧によって押圧されることによって、粘性材料から液の染み出しが生じることがある。この液の染み出しによって、組成部の割合の変動が生じたり内容物が変化、変性したりすることがある。
なお、現在使用されている蓋部材のサイズの一例として、奥行き深さが１０ｍｍ、口径が８．５ｍｍのものが使用され、奥行き深さ／口径の比は、１．２程度のものが使用されている。
【０００５】
本発明は、このような事情に鑑みてなされたものであって、開閉しやすく、密閉性に優れ、なおかつ蓋部材が閉じ状態にあるとき、容器本体内の内圧の上昇を抑制することが可能な歯科材料用シリンジを提供することを目的とする。
【課題を解決するための手段】
【０００６】
本発明の歯科材料用シリンジは、上記目的を達成するために、粘性材料を収容し押出しするためのシリンダ状の容器本体と該容器本体の先端開口部を閉塞する蓋部材とを備え、前記容器本体と蓋部材との少なくとも一方が弾性部材で形成されている歯科材料用シリンジにおいて、前記容器本体の先端開口部の外周面には、螺旋方向へリード角を有する複数の雄側螺状突部を前記外周面の周方向へ間隔を空けて形成し、前記蓋部材の周壁部には、前記雄側螺状突部に対して係合し、螺旋方向へリード角を有する複数の雌側螺状突部を前記周壁部の周方向へ間隔を空けて形成し、前記雄側螺状突部と前記雌側螺状突部との少なくとも一方にリード角をずらした螺状突部を含ませて形成し、前記蓋部材による前記先端開口部の閉塞時に、前記雄側螺状突部間に前記雌側螺状突部を気密状態に螺着させるとともに前記雌側螺状突部間に前記雄側螺状突部を気密状態に螺着させ、前記蓋部材の口径が５．０〜１０．０ｍｍであって、蓋部材の天面壁内面から前記雌側螺状突部の下端までの長さと前記口径の比が０．２〜１．０とした。
上記歯科材料用シリンジは、前記容器本体の先端開口部と前記蓋部材の天面壁内面との間にパッキンを設けることができる。
上記歯科材料用シリンジは、前記容器本体の前記先端開口部を縮径した縮径部を形成し、該縮径部に前記蓋部材を装着させることができる。
【発明の効果】
【０００７】
本発明の歯科材料用シリンジにおいて、容器本体の先端開口部の外周面には、螺旋方向へリード角を有する複数の雄側螺状突部を前記外周面の周方向へ間隔を空けて形成し、蓋部材の周壁部には、前記雄側螺状突部に対して係合し、螺旋方向へリード角を有する複数の雌側螺状突部を前記周壁部の周方向へ間隔を空けて形成し、前記雄側螺状突部と前記雌側螺状突部との少なくとも一方にリード角をずらした螺状突部を含ませて形成し、前記蓋部材による前記先端開口部の閉塞時に、前記雄側螺状突部間に前記雌側螺状突部を気密状態に螺着させるとともに前記雌側螺状突部間に前記雄側螺状突部を気密状態に螺着させ、蓋部材の口径が５．０〜１０．０ｍｍであって、蓋部材の天面壁内面から前記雌側螺状突部の下端までの長さと前記口径の比が０．２〜１．０としたので、蓋部材の天面壁内面から前記雌側螺状突部の下端までの長さが短く（蓋部材を介して容器本体の中へ空気が入り込んでくる長さ）、容器本体の内部入り込む空気の量が少なくなった。したがって、容器蓋の閉塞時における歯科材料が受ける内圧が小さくなった。さらに容器蓋の開閉につき、僅かな回転量によって開閉が可能になる。
上記歯科用シリンジは、前記容器本体の先端開口部と前記蓋部材の天面壁内面との間にパッキンを設けることによって、さらに密閉性の向上を図ることができる。
上記歯科材料用シリンジは、前記容器本体の前記先端開口部を縮径した縮径部を形成し、該縮径部に前記蓋部材を装着させたので、容器本体の開口部の径が小さくなり、光に触れるのが好ましくない歯科材料を収容するのに適する。また、空気に触れる面積が少なくなり、空気の触れるのが好ましくない歯科材料を収容するのに適する。
【発明を実施するための最良の形態】
【０００８】
図１は、本発明の実施形態に歯科材料を収容するシリンジの斜視図であり、図２は、シリンジの容器本体を断面にした平面図である。
シリンジ１は、容器２と蓋部材３とからなり、容器２は、容器本体４、押出ネジ５、ナット６及び押出部材７とからなる。
本実施形態では、容器本体４は合成樹脂で形成されている円形の筒状部材であり、基端側（ナット６と連結されている側）から先端側に向けて同一断面形状であり、先端部では外径が基端側よりも小径になった蓋部材３の装着部８を形成している。装着部８の内周面は、基端側と同径である。
【０００９】
容器本体４の基端側には、容器本体４の外径よりも拡径したナット６が連結されている。ナット６の内周壁には図示しない雌ネジが形成されており、容器本体４の内周部には、貫通孔としての内孔９が形成され、この内孔９はナット６の内孔と連続している。ナット６には、押出ネジ５の雄ネジ１２が螺着している。
押出ネジ５は、基端側にほぼ平板形状の把持部１１が形成され、把持部１１には、上述したボルト形状の雄ネジ１２が形成されている。また、雄ネジ１２の先端側は、容器本体４の内孔９まで突出し、その先端部には押出部材７が連結されている。
【００１０】
押出部材７は、雄ネジ１２を回転させることによって、内孔９の内周部を軸方向へ進退移動することが可能である。押出部材７は、円柱形状に形成され、押出部材７の外径は、内孔９の内径にほぼ等しく形成されている。その結果、押出部材７は内孔９の内周面を隙間無く摺動できる。
蓋部材３は、本実施形態では合成樹脂で形成され、形状は有底円筒形であり、周壁部２０と天面壁２１とによって形成されている。蓋部材３は装着部８に装着され、容器本体４の開口１４を閉塞できる。
【００１１】
図３は、容器本体４の装着部８と蓋部材３とが開放された状態の斜視図、図４は装着部８に蓋部材３が被せられた状態の斜視図である。
図に示すように、装着部８には雄側螺状突部１６が形成されている。複数の雄側螺状突部１６は、装着部８の周方向へ間隔を空けて設けられ、筒形状の装着部８の外周部における基端側から先端部に向かって螺旋（斜め上方）方向に延びている。そして、雄側螺状突部１６の各々は、基端（下端）側位置と先端（上端）側位置とが同じ位置（高さ）にあり、先端側位置は、開口１４の縁部に近接して配置され、基端側位置は装着部８のほぼ中央位置に配置されている。各雄側螺状突部１６は、装着部の周方向へ等間隔を空けて配置されている。雄側螺状突部１６の断面形状は台形状であり、雄側螺状突部１６が配設されている周方向角度は通常１０〜１２０度であり、本実施形態では約６０度である。この角度が小さいほど蓋部材３を外すのが容易である。
【００１２】
蓋部材３の内周面には雌側螺状突部１７が形成されている。複数の同一形状の雌側螺状突部１７は、蓋部材３の周方向へ間隔を空けて設けられ、蓋部材３の周壁部２０の中間位置から天面壁側に向かって螺旋（斜め上方）方向に延びている。そして、雌側螺状突部１７の各々は、周壁部２０の開口（下端）側位置と天面壁（上端）側位置とが同じ位置（高さ）にあり、天面壁側位置は、天面壁２１の縁部まで配置され、開口側位置は上述したように、周壁部２０のほぼ中央位置に配置されている。各雌側螺状突部１７は、周壁部２０の周方向へ等間隔を空けて配置されている。雌側螺状突部１７の断面形状は台形状であり、雌側螺状突部１７が配設されている周方向角度は通常１０〜１２０度であり、本実施形態では約６０度である。
【００１３】
次に、雄側螺状突部１６と雌側螺状突部１７のリード角について説明する。なお、リード角とは、周方向における水平方向Ｘに対する角度α（雌側隆起状部も同じ）をいう。
図３に示す雄側螺状突部１６のうち１個置きに位置する雄側螺状突部１６ａは、リード角α１を有し、同じく雄側螺状突部１６ｂのリード角はα２を有する。そして、雌側螺状突部１７のリード角は、全てα１を有するように形成している。リード角α１とα２とのリード角の差は、通常０．２〜８．０度であり、本実施形態では約１．５度である。
【００１４】
そして、装着部８に蓋部材３が組合わされる際に、リード角α１とα２との異なる雄雌側螺状突部１６ｂ，１７同士が係合するまで、リード角α１の同じ雄雌螺状突部１６ａ，１７同士が摺動するようにして移動される。さらに、リード角の異なる両螺状突部１６ｂ，１７は、同じリード角の雄雌側螺状突部１６ａ，１７の摺動関係によって、装着部８及び蓋部材３が所定の位置関係を維持するように保持されているので、互いに弾性変形しながら曲がったり、一方が他方に陥入するようにして摩擦係合し、図５の断面図に示すように、蓋部材３を装着部８に締結状態にして、密閉性をもって固定することができる。
【００１５】
シリンジとして、一般に口径が５．０ｍｍ〜１０．０ｍｍのものが使用されているが、本実施形態での蓋部材３の天面壁２１から雌側螺状突部１７の下端までの長さは３ｍｍ、内径は８．５ｍｍであり、長さと口径の比は０．３５（長さ／口径）であるが、長さと口径の比は０．２〜１．０の範囲とすることができ、このうち０．３〜０．８が好ましい。
シリンジ１の容器本体４の内部に配設されている歯科材料は、ペーストなどの粘性のある材料、例えばコンポジットレジンなどを収容することができる。本発明の効果をより顕著に発揮させる観点から好適には、歯科材料の粘度は１０Pa・S〜１×１０７Pa・Sである。なお、粘度は、一般にレオメーターと呼ばれる動的粘弾性測定装置を用いて測定される。ここではレオメーターの測定条件として、ジオメトリーは直径２０ｍｍパラレルプレートを使用し、ギャップ幅１．００ｍｍ、測定温度２３℃、周波数０．１Ｈｚ、定常応力１０００Ｐａで試験を行い、測定開始より１２０秒後の粘度を求めた。
なお、蓋部材３、容器本体４及び押出部材７の材質は、容器本体４に収容する歯科材料に影響のない材質によって形成する必要がある。
【００１６】
本実施形態におけるシリンジ１は、使用時に歯科医師等が蓋部材３を外すときは、蓋部材３を周方向に回転させることによって開放することができる。
この際、１組の雄雌側螺状突部１６，１７が配設されている周方向角度は約６０度であり、それらが螺着している長さも約６０度である。したがって、通常の蓋部材のネジと異なり、１回転以上蓋部材３を回転させることなく、約６０度を回転させるだけで、蓋部材３を開けることができる。雄雌側螺状突部１６，１７は、摩擦で螺着しており、摩擦力が失われたときには弾性力による反発力によって外れるので、実際にはその周方向角度よりも狭い角度を回転させるだけで、蓋部材３を外すことができる。したがって、操作性が良くなり、弾性力で外れるので、触感もよい。
【００１７】
容器本体４から蓋部材３を外した後は、容器本体４の開口１４から歯科材料を図示しないインストルメントなどで取り出すことができる。歯科材料が容器本体４の開口から深い位置にあるような場合は、把持部１１を掴み押出ネジ５を回転させて、歯科材料を開口１４の付近まで上昇させることができる。患者の治療が終了した後は、蓋部材３を装着部８に被せて開口１４を閉塞する。
一対の雄側螺状突部１６ａ，１６ｂの間に１つの雌側螺状突部１７が入り込み、同様に一対の雌側螺状突部１７，１７間に１つの雄側螺状突部１６が入り込んだ状態が、装着部８の全周領域で行われ、雄雌側螺状突部１６，１７が互いに弾性力をもって接触することによって、容器本体４内部の気密性を維持することができる。そして、容器本体４の開口１４の縁部が蓋部材３の天面壁２１に当接した状態で、蓋部材３が装着部８に装着され、雄雌側螺状突部１６，１７の摩擦力によって、閉塞状態が維持される。
【００１８】
リード角α１の値は通常１５〜７０度であり、リード角α２の値は通常７〜７０度であり、本実施形態では、リード角α１は約３５度であり、α２は約３３．５度である。また、図３で示すように、天面壁２１の内面から雌側螺状突部１７の基端（下）部側までの長さＨは、３ｍｍである。蓋部材３は装着部８に被せられたときに、雌側螺状突部１７の下部が開口１４に達するまでは、雄側螺状突部１６の隙間から空気が抜ける。したがって、蓋部材３を装着部８に被せたときには、上記長さＨまでの容積分だけ容器本体４に空気が入り込む。
これに対して、図８に示す、従来使用されている一般的な蓋部材５３の長さは、１０ｍｍである。従来の蓋部材５３は、空気が抜ける構造でないので、ほぼ蓋部材の容積分に近い空気が入り込む。
【００１９】
したがって、蓋部材３，５３の口径が同じであれば、３ｍｍ／１０ｍｍであり、本願発明は、従来よりも３０％分の空気しか残留しない。なお、本発明において、雄雌側螺状突部１６もしくは１７は、装着部８の外周に対して必ずしも全域に設ける必要はなく、蓋部材の固定が十分に行える範囲で、適宜間断部を設けて部分的に形成しても良い。一般には、間断部は、装着部８の外周に対して、５０％を超えない範囲で形成させるのが好ましく、特に、４０％を超えない範囲で形成させるのがより好ましい。本発明において、このように雄雌側螺状突部１６もしくは１７を形成しない間断部を設けた場合、該雌側螺状突部１７の下部が開口部１４に達した後に、蓋部材３を装着部８に深く被せていっても、空気は上記間断部より開放されるため、蓋部材の締結による内圧上昇はほぼ無視でき、特に好適である。気密性については、蓋部材３と開口１４縁部の接触で維持できる。
以上のように本実施形態では、こうして残留空気による内圧を低くし、容器本体４の内部に収容されている歯科材料が残留空気による内圧の負荷を抑制できる。歯科材料が粘性のある材料であるような場合は、粘性材料が内圧の負荷よって生じる液の染み出しを抑制し、内容物の変質や、液の染み出しによる変性を防止できる。
また、蓋部材３を装着部８に装着した後は、雄雌側螺状突部１６，１７の密着によって、外部からの異物混入の抑制や、歯科材料の漏れを防ぐことができる。
【００２０】
次に、本発明のシリンジの変形例について、図６を参照にして説明する。
本実施形態では、シリンジ１の蓋部材３の天面壁２１に、円板形状のパッキン２２を装着している。パッキン２２の材質については、弾性力を有し、歯科材料を変性させないものを使用する。容器本体４の装着部８には、図６には省略されているが、装着部８には図３及び図４に示す雄側螺状突部１６が形成され、蓋部材３には、雌側螺状突部１７が形成されている。その他のシリンジ１の構成についても、図１に示す上記実施形態のシリンジ１と同じである。
蓋部材３にパッキン２２を装着して、装着部８に蓋部材３を被せたときには、パッキン２２によって、容器本体４の開口１４を密閉することができる。本変形例によるシリンジ１は、気密性をさらに必要とする歯科材料を保存するような場合に適している。
【００２１】
図７は、本発明のシリンジの他の変形例であり、シリンジの先端部のみを示す。
本変形例では、図１に示す上記実施形態におけるシリンジ１の装着部８と蓋部材３のみが異なっている。
図７に示すように、シリンジ１は容器本体４の先端部に、容器本体４の径よりも小さい縮径部２３が形成されている。縮径部２３の先端部には、縮径部２３よりもさらに減径された装着部８が形成されている。装着部８には、蓋部材３が装着され、図７には省略されているが、装着部８には図３及び図４に示す雄側螺状突部１６が形成され、蓋部材３には、雌側螺状突部１７が形成されている。
本変形例では、容器本体４の開口部１４の径が小さいので、蓋部材３の開放後に歯科材料の空気に触れる面積が少なくなり、空気に触れるのが好ましくない歯科材料若しくは光に触れるのが好ましくない歯科材料を収容するのに適している。また、蓋部材３の閉塞時に容器本体４内に含まれる空気の量を少なくする利点がある。
【００２２】
以上、本発明を実施形態に基づいて添付図面を参照しながら詳細に説明したが、本発明は上記実施形態に限定されるものではなく、本発明の範囲を逸脱することなく、更に他の変形あるいは変更が可能である。
例えば、上記実施形態では、蓋部材３及び容器本体４を弾性部材で形成したが、それらのうちいずれか一方は、弾性を有さない材料で形成してもよい。
また、雄側螺状突部及び雌側螺状突部のリード角については、雄側螺状突部のリード角を一つ置きに変化させたが、全てを変化させてもよく、種々の形態が考えられる。
【図面の簡単な説明】
【００２３】
【図１】本発明の実施形態におけるシリンジの斜視図である。
【図２】図１のシリンジの断面図である。
【図３】図１のシリンジの容器本体の装着部と蓋部材とが開放された状態の斜視図である。
【図４】図１のシリンジの装着部に蓋部材が被せられた状態の斜視図である。
【図５】図４のＸ−Ｘ線方向の断面図である。
【図６】本発明の変形例によるシリンジの断面図である。
【図７】本発明の他の変形例によるシリンジの先端部の拡大断面図である。
【図８】Ａは、従来のシリンジの先端部に蓋部材が被らされていない状態の断面図、Ｂはシリンジの先端部に蓋部材が被らされている状態の断面図である。
【符号の説明】
【００２４】
１  シリンジ
２  容器
３  蓋部材
４  容器本体
５  押出ネジ
８  装着部
１４  開口
１６  雄側螺状突部
１７  雌側螺状突部
２２  パッキン
２３  縮径部
【図１】
2010011907.tif 000003
【図２】
2010011907.tif 000004
【図３】
2010011907.tif 000005
【図４】
2010011907.tif 000006
【図５】
2010011907.tif 000007
【図６】
2010011907.tif 000008
【図７】
2010011907.tif 000009
【図８】
2010011907.tif 000010